(57)【要約】【課題】本発明による過去記録の検索を通じた回想システムは、個人の過去の事件及び事物に関する自動又は受動的な記録が格納されているデータベース装置と、ユーザの要請に応じて検索を要請する検索コンピューティング装置と、検索コンピューティング装置の検索要請を通じてデータベース装置を検索し、前記検索要請に対応する結果データを抽出するサーバコンピューティング装置と、サーバコンピューティング装置から抽出された結果データを多感覚要素に融合して表現するための表現コンピューティング装置とを含む。【解決手段】このように、本発明は過去の個人だけの記録を多様な方法で検索し、該当記録を多感覚表現装置を通じて類似するように再現することで、過去の回想のためのより効果的な媒介体としての役割を果たすことができるようにして個人の過去の記憶を増強させるという効果が得られる。【選択図】図１
2010191697.tif 000002
【特許請求の範囲】
【請求項１】
個人の過去の事件及び事物に関する自動又は受動的な記録が格納されているデータベース装置と、
ユーザの要請に応じて検索を要請する検索コンピューティング装置と、
前記検索コンピューティング装置の検索要請を通じて前記データベース装置を検索し、前記検索要請に対応する結果データを抽出するサーバコンピューティング装置と、
前記サーバコンピューティング装置から抽出された結果データを多感覚要素に融合して表現するための表現コンピューティング装置と
を含む過去記録の検索を通じた回想システム。
【請求項２】
前記データベース装置は、前記個人の過去の事件及び事物に関する記録が視覚、聴覚、触覚、嗅覚で表現するメディアデータとそのメタデータを含み、各データには時間、場所、人物、活動、体感情報に該当する変数に対する値を含むことを特徴とする請求項１に記載の過去記録の検索を通じた回想システム。
【請求項３】
前記サーバコンピューティング装置は、前記検索結果データを前記検索コンピューティング装置が要求する形式に従って変換して提供し、前記結果データを推論、組み合わせる機能を行うＤＢ連動／クエリー部と、
前記結果データのストリーミングサービスが要求されるとき、前記結果データのストリーミングサービスを前記表現コンピューティング装置に提供するストリーミングサーバ部と
を含むことを特徴とする請求項１に記載の過去記録の検索を通じた回想システム。
【請求項４】
前記検索コンピューティング装置は、
前記個人の過去の記録をキーワード又はカテゴリーを基に検索するためのインターフェースを提供するユーザインターフェース部と、
前記表現コンピューティング装置に提供される前記結果データを制御するための制御命令を前記表現コンピューティング装置に提供する表現制御部と
を含むことを特徴とする請求項１に記載の過去記録の検索を通じた回想システム。
【請求項５】
前記表現コンピューティング装置は、
個別の感覚装置と連結され、前記個別の感覚装置を制御し動作させる装置管理部と、
前記サーバコンピューティング装置から前記結果データを受信するストリーミングクライアント部と、
前記検索コンピュータ制御装置の制御命令に基づいて前記個別の感覚装置を融合表現と同期化が行われるための制御を行う融合同期化制御部と
を含むことを特徴とする請求項４に記載の過去記録の検索を通じた回想システム。
【請求項６】
治療対象者の過去記録のデータを収集して前記治療対象者の個人データベース装置を構築する構築段階と、
前記治療対象者の過去の回想のための媒介体として用いることができる手がかりを検索コンピューティング装置を通じてサーバコンピューティング装置に要請する検索要請段階と、
前記サーバコンピューティング装置で、前記検索要請に応じて前記治療対象者のデータベース装置を検索して過去の回想のための媒介体として用いられる過去記録の結果データを検索する検索段階と、
前記検索された結果データをリスト形式で検索コンピューティング装置を通じて提供する結果リスト提供段階と、
前記サーバコンピューティング装置で、前記結果リストから選択された一つの過去記録に対応する過去記録のデータを表現コンピューティング装置に提供してサービスするサービス段階と
を含む過去記録の検索を通じた回想方法。
【請求項７】
前記検索要請段階で、前記検索はキーワード基盤及び時間、場所、人物、活動、体感情報のカテゴリーを基に要請することを特徴とする請求項６に記載の過去記録の検索を通じた回想方法。
【請求項８】
前記回想方法は、
前記検索コンピューティング装置で、前記選択された過去記録のデータに対する表現方式を制御するための制御命令を前記表現コンピューティング装置に提供する段階と、
前記表現コンピューティング装置で前記制御命令に基づいて前記表現コンピューティング装置と連動した個別の感覚装置の動作を制御して前記サーバコンピューティング装置から提供される過去記録のデータを表現する表現段階と
を更に含むことを特徴とする請求項６に記載の過去記録の検索を通じた回想方法。
【請求項９】
前記制御命令は、前記過去記録のデータ表現を開始、一時的停止、停止させる制御信号及び前記過去記録のデータを感覚データに表現してその感覚データの表現強度を調節する制御信号であることを特徴とする請求項８に記載の過去記録の検索を通じた回想方法。
【請求項１０】
前記過去記録のデータは前記感覚データを表現する視覚、聴覚、触覚及び嗅覚表現装置を同期化して多感覚の融合により表現されることを特徴とする請求項９に記載の過去記録の検索を通じた回想方法。
【請求項１１】
前記検索された結果データは代表イメージと代表単語とを含むことを特徴とする請求項６に記載の過去記録の検索を通じた回想方法。
【発明の詳細な説明】
【技術分野】
【０００１】
本発明は過去の事件及び事物などに関する自動又は受動的な記録をキーワード又はカテゴリーに基づいて検索し、その結果を視覚、聴覚、触覚、嗅覚の多様な媒体で表現して個人の過去を回想する媒介体として利用する過去記録の検索を通じた回想システム及び方法に関する。
【背景技術】
【０００２】
通常、人々は写真や、音楽、臭いなどの過去の事件及び事物などと関連性のある媒介体を通じて過去をより容易に回想する。例えば、かつて用いていた物や音楽又は各種アルバムの中の資料などは過去の特定の記憶の回想に対する媒介体としての役割をする。
【０００３】
個人の過去の心の返遷をデータベース化し、個人自身によるメンタルヘルス・痴呆予防等を行わせると共に、このデータベースを医師・介護者等が患者の治療に役立てることができる(例えば、特許文献１参照)。
【０００４】
近年、技術の発達に伴い、個人の記録データを収集し易いため、これを初期の認知症患者や記憶力が衰えた高齢者に過去を回想させる回想方法として応用してより効果的に用いるための研究が進められている。
【０００５】
近年は、カメラやキャムコーダなどの多様なデジタル機器又はライフロギング装置などを通じて現在を記録し、個人のデータとして管理することによって、過去になる現在のデジタル記録を容易に確保できる。
【先行技術文献】
【特許文献】
【０００６】
【特許文献１】特開２００２−００７５６０号公報
【発明の概要】
【発明が解決しようとする課題】
【０００７】
従って、本発明は上記事情に鑑みてなされたものであって、その目的は、過去の事件及び事物に関する自動又は受動的な記録から多様な検索で必要な情報を抽出し、これを適切な媒体を通じて表現することで、個人に過去を回想させることができる個人化した媒介体を提供することにある。
【課題を解決するための手段】
【０００８】
前記目的を達成するための本発明の第１の観点によれば、過去記録の検索を通じた回想システムは、個人の過去の事件及び事物に関する自動又は受動的な記録が格納されているデータベース装置と、ユーザの要請に応じて検索を要請する検索コンピューティング装置と、前記検索コンピューティング装置の検索要請を通じて前記データベース装置を検索し、前記検索要請に対応する結果データを抽出するサーバコンピューティング装置と、前記サーバコンピューティング装置から抽出された結果データを多感覚要素に融合して表現するための表現コンピューティング装置とを含む。
【０００９】
本発明の第２の観点によれば、治療対象者の過去記録のデータを収集して前記治療対象者の個人データベース装置を構築する構築段階と、前記治療対象者の過去の回想のための媒介体として用いることができる手がかりを検索コンピューティング装置を通じてサーバコンピューティング装置に要請する検索要請段階と、前記サーバコンピューティング装置で、検索要請に応じて前記治療対象者のデータベース装置を検索して過去の回想のための媒介体として用いられる結果データを検索する検索段階と、前記検索された結果データをリスト形式で検索コンピューティング装置を通じて提供する結果リスト提供段階と、前記サーバコンピューティング装置で、前記結果リストから選択された一つの過去記録に対応する過去記録のデータを表現コンピューティング装置に提供してサービスするサービス段階とを含む。
【発明の効果】
【００１０】
本発明によれば、過去の個人だけの記録を多様な方法で検索し、該当記録を多感覚表現装置を通じて類似するように再現することで、過去の回想のためのより効果的な媒介体としての役割を果たすことができるようにして個人の過去の記憶を増強させることができるという効果を奏する。
【００１１】
本発明を回想治療法に適用することで、認知症患者の症状を改善するのに効果的に用いることができる。
【図面の簡単な説明】
【００１２】
【図１】本発明の好適な実施形態によって過去記録の検索を通じた回想システムを示すブロック図である。
【図２】本発明が適用された回想療法の応用の手順を示すフローチャートである。
【発明を実施するための形態】
【００１３】
以下、本発明の好適な実施形態を添付する図面を参照して詳細に説明する。本発明の好適な実施形態では過去の事件及び事物などに関する自動又は受動的な記録をキーワード又はカテゴリーに基づいて検索し、その結果を視覚、聴覚、触覚、嗅覚の多様な媒体で表現して治療対象者の過去を回想させる媒介体となり得るようにする回想システムと方法について説明する。
【実施例１】
【００１４】
図１は、本発明の好適な実施形態による過去記録の検索を通じた回想システムを示すブロック図であって、データベース装置１００、サーバコンピューティング装置２００、検索コンピューティング装置３００、表現コンピューティング装置４００を含む。
【００１５】
データベース装置１００は、各個人別の過去の事件及び事物に関する記録を視覚、聴覚、触覚、嗅覚で表現したメディアデータが格納されているメディアデータベース１０１と、個別データ、そして単位事件及び個別客体に関する情報、例えば名前、意味、代表単語などのようなメタデータが格納されているメタデータベース１０２とを含み、各データベース１０１、１０２に格納されている各データは検索の便宜上、時間、場所、人物、活動、体感情報に該当する変数に対する値を含み、各変数を分類が可能なようにカテゴリー化してＤＢ制御部１０３で管理する。
【００１６】
サーバコンピューティング装置２００は、ＤＢ連動／クエリー部２０１及びストリーミングサーバ部２０２で構成される。ＤＢ連動／クエリー部２０１は、検索コンピューティング装置３００から質問の要請を受け、データベース装置１００の各データベース１０１、１０２から必要な情報を検索した後、検索された結果を検索コンピューティング装置３００に提供する。場合によっては、動画のように、ストリーミングサービスを要求できるが、このような場合にはストリーミングサーバ部２０２でストリーミングサーバとしての役割を担当してストリーミングクライアントは検索コンピューティング装置３００又は表現コンピューティング装置４００となる。
【００１７】
検索コンピューティング装置３００は、ユーザが過去の記録を検索できるユーザインターフェースを提供し、多様な検索方法を支援するが、ユーザインターフェース部３０１、検索部３０２及び表現制御部３０３を含む。ユーザインターフェース部３０１では簡単なキーワードに基づく検索はもちろん、カテゴリーに基づく検索も可能にするが、ここでカテゴリーは時間、場所、人物、活動、体感情報に分類され、場合によっては、各カテゴリーに含まれるデータの個数をユーザに提供することで、データの分布も把握できるようにする。また、カテゴリーの範囲内でキーワードの検索も可能にし、多数のキーワードの検索、多数のカテゴリーの検索、カテゴリー検索とキーワード検索の交差検索も支援する。検索部３０２は、サーバコンピューティング装置２００と連動して検索式を組み合わせて伝達し、その結果を受けてユーザインターフェース部３０１で表現し易い方式で提供する。
【００１８】
更に、検索コンピューティング装置３００は、ユーザインターフェース部３０１と検索部３０２を通じて検索結果リストを代表単語と代表イメージとして提供し、ユーザ５００が検索結果リストの中から選択した特定の検索結果に対して事件又は事物に関するデータを再び検索して、その結果を表現コンピューティング装置４００に伝送するようにする。検索コンピューティング装置３００の表現制御部３０３は、表現コンピューティング装置４００を通じて表現されるデータを開始、停止などの命令語で制御するための制御データを提供する。即ち、制御データは、データの開始、一時的停止、停止の命令信号と、視覚、聴覚、触覚、嗅覚データに対する個別の再生選択、視覚、聴覚、触覚、嗅覚データに対する個別の強度選択の命令信号などを含む。
【００１９】
表現コンピューティング装置４００は、装置管理部４０１、融合／同期化制御部４０２、ストリーミングクライアント部４０３で構成される。ストリーミングクライアント部４０３ではサーバコンピューティング装置２００から表現データを受信して、融合／同期化制御部４０２では検索コンピューティング装置３００から制御データを受信する。ここで、表現データはユーザ５００が検索結果リストの中から選択した特定の検索結果に対して該当事件又は事物に関するデータであって、視覚、聴覚、触覚、嗅覚をそれぞれ示すデータとこれらの融合表現及び同期化に関するメタデータを含む。また、表現コンピューティング装置４００はストリーミングクライアントとしての機能を行い、装置管理部４０１では多感覚の表現のための個別装置、例えば、視覚装置６００、聴覚装置７００、嗅覚装置８００、触覚装置９００などの動作を制御、管理する機能も行う。
【００２０】
このようなデータベース装置１００、サーバコンピューティング装置２００、検索コンピューティング装置３００及び表現コンピューティング装置４００は、有無線ネットワークを介して互いに連動してデータを送受信するための構成を整えている。
【００２１】
前記のような構成を有する本発明のシステムは初期の認知症患者を対象にした回想治療法に適用された応用シナリオに基づいて説明すれば、以下の通りである。
【００２２】
まず、治療対象者に関する基本情報と治療対象者の過去が記録されているデータベースを構築する。過去の記録は別途のロギング装置を着用して日常生活で発生する事件又は事物に関する記録を継続的に収集するか、又は特定のイベントが発生したとき、ユーザが記録を所望するとき、カメラ、キャムコーダなどのロギング装置を用いてデータを収集したものである。高齢者の場合に既に過ぎた過去に関する記録をアルバム、写真などから得てデジタルデータに変換して収集することもできる。収集されたデータは下位レベルが精製されていない状態であるので、自動又は受動的な編集ツールを用いて、収集したデータを過去記録の単位に区分して意味のある過去記録のデータのみを抽出する。そして、以後の検索やデータの活用のために過去記録データからこれを代表する単語、イメージ、検索に基づくカテゴリー情報などを含むメタデータを生成する。
【００２３】
このような過程を通じて治療対象者に関するメディアデータベース１０１とメタデータベース１０２が準備され、治療対象者に関する基本情報も共に格納してデータベース装置１００を構築する。
【００２４】
このような過去記録のデータ収集過程を完了すれば、治療対象者に対して回想治療法を行うが、その過程について図２を参照して説明する。
【００２５】
図２は、本発明が適用された回想療法の応用の手順を示すフローチャートである。図２に示すように、治療対象者、例えば、認知症患者が登場すれば、検索コンピューティング装置３００を通じてユーザ５００、即ち、治療師の役割を担当するユーザは治療対象者に関する情報検索（例えば、治療対象者のプロファイル検索）を要請する（Ｓ２００）。即ち、検索コンピューティング装置３００のユーザインターフェース部３０１と検索部３０２を通じて要請しようとするデータに関する定義がなされ、ＤＢ連動／クエリー部２０１、ＤＢ制御部１０３を通じてデータベース装置１００が連動して適切な質問の組み合わせにより必要なデータを収集した後に結果をユーザ５００に提供するようになる。
【００２６】
ここで、回想治療法の応用の場合、ユーザインターフェース部３０１は認知症患者でない家族、治療師など回想療法に従った段階を進められる補助的な役割をする人のためのインターフェースと情報を提供する。
【００２７】
その後、ユーザ５００は治療対象者の過去の回想のための媒介体として用いることができる手がかりを検索コンピューティング装置３００を通じて検索する。この過程は図１のユーザインターフェース部３０１を通じてカテゴリー別、キーワード別の分類による過去の記録に関する検索方法を提供するが、これを通じて検索キーワードを入力し、カテゴリーを選択する（Ｓ２０２）。カテゴリーは、時間、場所、人物、活動、体感情報で構成される。例えば、ユーザ５００は、活動カテゴリーで「結婚式」というキーワードを、体感カテゴリーでは「雪、寒さ」というキーワードを用いて検索できる。
【００２８】
その後、検索部３０２ではユーザ５００の検索キーワードをクエリーに適切な質問式に組み合わせた後、ＤＢ連動／クエリー部２０１に伝送すれば、ＤＢ連動／クエリー部２０１はＤＢ制御部１０３を通じてデータベース装置１００より治療対象者に対する過去記録データを検索する（Ｓ２０４）。その検索結果、即ち検索結果リストが検索部（３０２）に提供される（Ｓ２０６）。このとき、ＤＢ連動／クエリー部２０１では必要に応じて認知及び人口知能（Ａｒｔｉｆｉｃｉａｌ Ｉｎｔｅｌｉｇｅｎｔ）アルゴリズムを追加してデータに対する推論及び統合過程を行うこともできる。また、データベース装置１００は多数の治療対象者が存在する場合、別個のデータベース装置として存在し得る。
【００２９】
このとき、検索結果リストは代表イメージと代表単語とで構成されたリストとして構成され、検索コンピューティング装置３００を通じてユーザ５００に提供される。
【００３０】
その後、ユーザ５００が結果リストから所望する1つの過去の記録を選択すれば（Ｓ２０８）、検索部３０２では選択された過去記録に関連した全体のデータ検索をサーバコンピューティング装置２００に要請する。ＤＢ連動／クエリー部２０１は、選択された過去記録に関連した全体のデータ検索の要請に基づいてデータベース装置１００から全体データの提供を受ける（Ｓ２１０）。
【００３１】
サーバコンピューティング装置２００は、データベース装置１００から提供を受けた全体データに対してストリーミングサーバ部２０２を通じてクライアントに提供する準備をする。ユーザ５００が該当過去記録のデータの表現を要請すれば、その要請に応じて、表現制御部３０３は表現コンピューティング装置４００の融合／同期化制御部４０２に制御するメディアの種類と制御命令を伝達し、ストリーミングクライアント部４０３を通じてストリーミングサーバ部２０２と連動して過去記録のデータをストリーミング方式で受ける（Ｓ２１２）。
【００３２】
融合／同期化制御部４０２は、過去記録のデータを表現制御部３０３から受けた制御命令に応じて多感覚装置である視覚、聴覚、触覚、嗅覚装置６００、７００、８００、９００の動作に対して融合表現と同期化が行われるための制御を行い、装置管理部４０１に多感覚装置の個別動作を指示する。したがって、装置管理部４０１は、視覚装置６００、聴覚装置７００、触覚装置８００、嗅覚装置９００を個別に制御し、動作するようにする（Ｓ２１４）。
【００３３】
このような過程を通じて回想の媒介体となる手がかりが治療対象者に表現され、治療師はこのような過程を治療の流れに合うように部分的に繰り返して行う。
【００３４】
本発明の好適な実施形態によれば、過去の事件及び事物などに関する自動又は受動的な記録をキーワード又はカテゴリーに基づいて検索し、その結果を視覚、聴覚、触覚、味覚の多様な媒体で表現して治療対象者が過去を回想する媒介体となり得るようにする。
【００３５】
以上、本発明の実施形態に限定して説明したが、本発明の技術が当業者によって容易に変形実施され得る可能性は自明である。このような変形された実施形態は本発明の特許請求の範囲に記載された技術思想に含まれるといえる。
【符号の説明】
【００３６】
１００    データベース装置
２００    サーバコンピューティング装置
３００    検索コンピューティング装置
４００    表現コンピューティング装置
５００    ユーザ
６００    視覚装置
７００    聴覚装置
８００    嗅覚装置
９００    触覚装置
【図１】
2010191697.tif 000003
【図２】
2010191697.tif 000004